(57)【要約】【課題】移動体内で提供されている音響環境の状態を、視覚を通して認識することができるインターフェースを提供する。【解決手段】個別空間または複数の前記個別空間で構成される全体空間に音声を出力する音声出力手段を制御する音響制御手段と、前記個別空間または前記全体空間に出力されている音声に関する音声情報を表示する表示手段と、前記音響制御手段は、前記個別空間ごとに異なる音声が出力されていることを示す音声情報または前記全体空間に同一音声が出力されていることを示す音声情報を前記表示手段に表示させる。【選択図】図３
2009143498.tif 000002
【特許請求の範囲】
【請求項１】
個別空間または複数の前記個別空間で構成される全体空間に音声を出力する音声出力手段を制御する音響制御手段と、
前記個別空間または前記全体空間に出力されている音声に関する音声情報を表示する表示手段と、
前記音響制御手段は、前記個別空間ごとに異なる音声が出力されていることを示す音声情報または前記全体空間に同一音声が出力されていることを示す音声情報を前記表示手段に表示させる音響システム。
【請求項２】
前記表示手段は、その表面に対する接触を検出可能な接触検出手段を有し、
前記音響制御手段は、前記接触検出手段への接触が行われた場合、前記音声情報の設定情報を前記表示手段に表示させることを特徴とする請求項１に記載の音響システム。
【請求項３】
前記音声情報は、少なくとも図形、文字、図形と文字の組み合わせのいずれかである請求項１または２に記載の音響システム。
【発明の詳細な説明】
【技術分野】
【０００１】
本発明は、飛行機、電車、自動車等の移動体において提供される音響システムに関する。
【背景技術】
【０００２】
飛行機、電車、自動車等の移動体において、所定空間内に音声を提供する音響システムがある。この音響システムは、ナビゲーションのＡＶ（Audio Visual）機能の一つとしてユーザに提供されている。例えば、特許文献１には、空間内に複数配置されたスピーカーより出力される音を制御することにより音響空間を形成する技術が開示されている。また、特許文献２には、ナビゲーション動作中の画面上に表示されるマークをアイコンとして選択することにより各種のナビゲーションの機能の入力を行う技術が開示されている。
【特許文献１】特開２００７−１１６３６３号公報
【特許文献２】特開平１０−１２２８７６号公報
【発明の開示】
【発明が解決しようとする課題】
【０００３】
飛行機、電車、自動車等の移動体内で音声を提供する音響システムにおいて、移動体内の全座席に同一音声を提供する場合や移動体内の各座席に異なる音声を提供する場合には以下のような課題がある。例えば、移動体内の全座席に音声ａが出力されている状況において、聴取者ａが音声ｂを聴取することを所望した場合、聴取者ａは、音声ｂを自席に出力するように移動体内の音響環境の設定を変更する。移動体内の音響環境の設定が変更されることにより、聴取者ａは、自席において音声ｂを聴取することが可能となる。この場合、他席の聴取者ｂは、聴取者ｂの座席に出力されている音声については変更がないため、聴取者ａの座席に音声ｂが出力されていることを認識していない。聴取者ｂが聴取者ａの座席に音声ｂが出力されていることを認識するためには、聴取者ａの座席に出力されている音声を耳で確認する必要がある。
【０００４】
また、例えば、移動体内の座席ごとに異なる音声が出力されている状況において、聴取者ａが、他席の聴取者ｂが聴取している音声を認識するためには、聴取者ｂの座席に出力されている音声を耳で確認する必要がある。そして、聴取者ａが、聴取者ｂの座席に出力されている音声の聴取を所望する場合、聴取者ａは、聴取者ｂの座席に出力されている音声を全座席に出力するように移動体内の音響環境の設定を変更する。聴取者ａは、全座席に同一音声が出力されていることを認識している。しかし、聴取者ｂは、聴取者ｂの座席に出力されている音声については変更がないため、全座席に同一音声が出力されていることを認識していない。聴取者ｂが全座席に同一音声が出力されていることを認識するためには、全座席に出力されている音声を耳で確認する必要がある。
【０００５】
本発明では、上記した問題に鑑み、飛行機、電車、自動車等の移動体内で提供されている音響環境の状態を、視覚を通して認識することができるインターフェースを備える音響システムを提供することを課題とする。
【課題を解決するための手段】
【０００６】
本発明においては、上記課題を解決するために、以下の手段を採用した。すなわち、本発明は、個別空間または複数の前記個別空間で構成される全体空間に音声を出力する音声出力手段を制御する音響制御手段と、前記個別空間または前記全体空間に出力されている音声に関する音声情報を表示する表示手段と、前記音響制御手段は、前記個別空間ごとに異なる音声が出力されていることを示す音声情報または前記全体空間に同一音声が出力さ
れていることを示す音声情報を前記表示手段に表示させる音響システムである。
【０００７】
上記音響システムでは、個別空間ごとに異なる音声が出力されている場合、表示手段には、個別空間ごとに異なる音声が出力されていることを示す音声情報が表示される。また、上記音響システムでは、全体空間に同一音声が出力されている場合、表示手段には、全体空間に同一音声が出力されていることを示す音声情報が表示される。ここで、個別空間とは、聴取者が音声を聴取することが可能な一定の広がりを持つ空間であり、全体空間とは、複数の個別空間が集まった一定の広がりを持つ空間である。したがって、全体空間には個別空間が含まれている。また、個別空間に出力される音声の音源が異なるため、個別空間ごとに異なる音声が出力されている場合と、個別空間に出力される音声の音源は同一であるが音源が発生する音声が異なるため、個別空間ごとに異なる音声が出力されている場合とがある。
【０００８】
聴取者は、表示手段に表示される個別空間ごとに異なる音声が出力されていることを示す音声情報を見ることによって、個別空間ごとに異なる音声が出力されていることを認識することができる。また、聴取者は、表示手段に表示される全体空間に同一音声が出力されていることを示す音声情報を見ることによって、全体空間に同一音声が出力されていることを認識することができる。このため、聴取者は、個別空間に出力されている音声を耳で確認する必要が無くなり、個別空間に出力されている音声を聴取することに集中することができる。
【０００９】
また、上記音響システムにおいて、前記表示手段は、その表面に対する接触を検出可能な接触検出手段を有し、前記音響制御手段は、前記接触検出手段への接触が行われた場合、前記音声情報の設定情報を前記表示手段に表示させるようにしてもよい。これにより、接触検出手段への接触操作が行われることで、音声情報の設定情報を表示手段に表示させることができる。したがって、聴取者は、個別空間ごとに異なる音声が出力されている場合における音声情報の設定情報または全体空間に同一音声が出力されている場合における音声情報の設定情報を知ることができる。ここで、設定情報は、個別空間ごとに出力されている音声の音源の種類を示す情報、個別空間ごとに出力されている音声の種類を示す情報、全体空間に出力されている音声の音源の種類を示す情報、全体空間に出力されている音声の種類を示す情報等である。
【００１０】
また、上記音響システムにおいて、前記音声情報は、少なくとも図形、文字、図形と文字の組み合わせのいずれかであってもよい。これにより、聴取者は、表示手段に表示される音声情報を見ることによって、個別空間ごとに異なる音声が出力されていることを直感的に認識することができ、また、全体空間に同一音声が出力されていることを直感的に認識することができる。また、本発明は、コンピュータその他の装置、機械等が上記いずれかの処理を実行する方法であってもよい。また、本発明は、コンピュータその他の装置、機械等に、以上のいずれかの機能を実現させるプログラムであってもよい。また、本発明は、そのようなプログラムをコンピュータ等が読み取り可能な記録媒体に記録したものでもよい。
【発明の効果】
【００１１】
本発明によれば、飛行機、電車、自動車等の移動体内で提供されている音響環境の状態を、視覚を通して認識することができる。
【発明を実施するための最良の形態】
【００１２】
以下、図面に基づいて、本発明の実施の形態を説明する。以下の実施形態の構成は例示であり、本発明は実施形態の構成には限定されない。なお、以下では、本実施形態に係る音響システムを車両に適用した場合について説明するが、映画館、コンサート、飛行機、
電車等に適用してもよい。図１は、本実施形態に係る音響システム１０が搭載される車両１の概略図である。図１において、車両１には閉ざされた空間である車両空間２が設けられ、車両１には搭乗者である聴取者が存在可能である。車両１の座席３には、聴取者が存在可能となる位置に合わせてスピーカー４およびエラーマイク５が設けられている。
【００１３】
本実施形態に係る音響システム１０が搭載される車両１内に設けられた各個別空間に対して個別音響環境を提供し、また、該車両１内に設けられた全体空間に対して同一音響環境を提供する。例えば、図１に示すスピーカー４ａ、４ｂと、スピーカー４ｃ、４ｄと、スピーカー４ｅ、４ｆと、スピーカー４ｇ、４ｈとでそれぞれ異なる音源の音声が出力されることによって、座席３ａ近辺の空間、座席３ｂ近辺の空間、座席３ｃ近辺の空間および座席３ｄ近辺の空間それぞれに対して個別音響環境を提供する。したがって、個別音響環境が提供される場合、各個別空間に異なる音声が出力されることになる。また、図１に示すスピーカー４ａ、４ｂと、スピーカー４ｃ、４ｄと、スピーカー４ｅ、４ｆと、スピーカー４ｇ、４ｈとで同一音源の音声が出力されることによって、座席３ａ近辺の空間、座席３ｂ近辺の空間、座席３ｃ近辺の空間および座席３ｄ近辺の空間を含む全体空間に対して同一音響環境を提供する。したがって、同一音響環境が提供される場合、全体空間に同一音声が出力されることになる。
【００１４】
本実施形態に係る音響システム１０では、個別音響空間を提供する際に各座席で出力される音声が他の座席に漏れることを低減するための漏れ音低減処理を行う。ここで、本実施形態に係る音響システム１０の漏れ音低減処理について、図２を参照して説明する。なお、ここで説明する漏れ音低減処理は一例であり、本実施形態に係る音響システム１０では、他の漏れ音低減処理を適用することもできる。
【００１５】
図２は、本実施形態に係る音響システム１０の漏れ音低減処理の説明図である。図２に示すように、本実施形態に係る音響システム１０は、他席スピーカー１２と、自席スピーカー１３と、自席エラーマイク１４と、他席音源２１と、漏れ音低減フィルタ２２と、自席音源２３と、仮想音源フィルタ２４と、後方音源逆フィルタ２５と、補助フィルタ２６とからなる。なお、自席スピーカー１３から提供される音は、自席の聴取者の前方に仮想的な音源である仮想音源１５を有する。また、左上角が黒く示された漏れ音低減フィルタ２２および補助フィルタ２６は、ＡＤＦ（適応フィルタ；Adaptive Digital Filter）で
あることを表している。
【００１６】
本実施形態に係る音響システム１０は、他席スピーカー１２から聴取者１０が座っている自席に漏れる音を効果的に低減するために、他席スピーカー１２と自席エラーマイク１４との間の漏れ音伝達関数Ｐ（ｚ）および自席スピーカー１３と自席エラーマイク１４との間の誤差経路伝達関数Ｃ（ｚ）を、補助フィルタ２６を用いて漏れ音低減フィルタ２２を適応制御させるとともに、仮想音源フィルタ２４および後方音源逆フィルタ２５を用いて音像を聴取者の前方へ定位させ、臨場感のある個別音響環境を提供する。
【００１７】
他席スピーカー１２は、他席右スピーカー１２ａおよび他席左スピーカー１２ｂからなり、例えば、自動車における後部座席のシート肩口あるいはヘッドレスト部等に設置される。なお、他席スピーカー１２は、他席音源２１と接続されており、他席用の音楽や音声などの個別音響環境を提供する。
【００１８】
自席スピーカー１３は、自席右スピーカー１３ａおよび自席左スピーカー１３ｂからなり、例えば、自動車における運転席のシート背面部に設置される。なお、自席スピーカー１３は、漏れ音低減フィルタ２２及び後方音源逆フィルタ２５に接続されており、自席用の音楽や音声などの個別音響環境を提供するとともに、他席スピーカー１２からの漏れ音を打ち消す制御音を出力する。
【００１９】
自席エラーマイク１４は、右エラーマイク１４ａおよび左エラーマイク１４ｂからなり、自席スピーカー１３を構成する自席右スピーカー１３ａおよび自席左スピーカー１３ｂの前方に設置される。なお、自席エラーマイク１４も自席スピーカー１３と同じく、例えば、自動車における運転席のシート肩口あるいはヘッドレスト部等に設置される。そして、自席エラーマイク１４の出力は、補助フィルタ２６における「漏れ音伝達関数Ｐ（ｚ）」および「誤差経路伝達関数Ｃ（ｚ）」の推定に用いられる。
【００２０】
他席音源２１は、ＣＤやＤＶＤといった可搬型記憶媒体の音楽や音声、ラジオ、テレビ、カーナビゲーションシステム等の音楽や音声を再生するデバイスである。なお、他席音源２１の出力は、他席スピーカー１２へ入力される他、漏れ音低減フィルタ２２および補助フィルタ２６にも入力される。
【００２１】
漏れ音低減フィルタ２２は、補助フィルタ２６の出力に基づいて推定された漏れ音伝達関数Ｐ（ｚ）および誤差経路伝達関数Ｃ（ｚ）を用い、他席スピーカー１２からの漏れ音を打ち消す制御音を発生させるフィルタである。なお、この漏れ音低減フィルタ２２は、ＡＤＦ（適応フィルタ；Adaptive Digital Filter）として構成される。
【００２２】
ここで、漏れ音低減フィルタ２２の算出手順について簡単に説明する。漏れ音低減フィルタ２２を「Ｈｌ（ｚ）」、補助フィルタ２６を「Ｓ（ｚ）」、漏れ音伝達関数を「Ｐ（ｚ）」、誤差経路伝達関数を「Ｃ（ｚ）」とすると、これらの関係式は、式「Ｓ（ｚ）＝Ｐ（ｚ）＋Ｈｌ（ｚ）Ｃ（ｚ）」と表わされる。
【００２３】
式「Ｓ（ｚ）＝Ｐ（ｚ）＋Ｈｌ（ｚ）Ｃ（ｚ）」において、Ｓ（ｚ）およびＨｌ（ｚ）に２通りの初期値（Ｓ１（ｚ）、Ｈｌ１（ｚ）、Ｓ２（ｚ）、Ｈｌ２（ｚ））を入力し、
打ち消し誤差が最小となるようにＳ１（ｚ）およびＳ２（ｚ）を更新することで、最適なＰ（ｚ）およびＰ（ｚ）を推定することができる。そして、最適なＨｌ（ｚ）は、式「Ｈｌ（ｚ）＝−Ｐ（ｚ）／Ｃ（ｚ）」と表わされる。
【００２４】
自席音源２３は、ＣＤやＤＶＤといった可搬型記憶媒体の音楽や音声、ラジオ、テレビ、カーナビゲーションシステム等の音楽や音声を再生するデバイスである。なお、自席音源２３の出力は、仮想音源フィルタ２４および後方音源逆フィルタ２５を経て自席スピーカー１３へ出力される。
【００２５】
仮想音源フィルタ２４は、自席音源２３からの出力を受け取り、自席の聴取者の前方に仮想的な音像を有する仮想音場を生成するフィルタ（Ｑ（ｚ））である。なお、仮想音源フィルタ２４によって生成される仮想音場は、図２に示す仮想音源１５のように、あたかも聴取者の前方に音源があるように自席音源２３の信号を処理したものである。また、仮想音源フィルタ２４は、事前の測定結果等に基づいて予め求められた伝達関数であるので、処理負荷をかけることなく臨場感のある音場を得ることができる。ここで、事前の測定は、聴取者を模擬したダミーヘッドの前方に設置した２つのスピーカーから音声を発し、ダミーヘッドの耳位置に設置されたマイクで、耳位置におけるインパルス応答を測定することによって行われる。そして、係る測定の結果に基づいて目標音場に係る目標伝達関数を求め、求めた目標伝達関数をＱ(ｚ)とする。
【００２６】
後方音源逆フィルタ２５は、自席スピーカー１３と自席エラーマイク１４との間の誤差経路伝達関数Ｃ（ｚ）の逆関数として定義されるフィルタであり、自席スピーカー１３の位置を基準とする仮想音場を自席エラーマイク１４の位置へ定位させる処理を行う。これにより、自席スピーカー１３が聴取者の後方に設置されることに起因する音像の後方定位を補正することができる。なお、後方音源逆フィルタ２５を「Ｈｂ（ｚ）」とすると、Ｈ
ｂ（ｚ）は、式「Ｈｂ（ｚ）＝１／Ｃ(ｚ)」と表わされる。なお、この式におけるＣ（ｚ）は、予め推定しておいた静的な誤差経路伝達関数が用いられる。
【００２７】
補助フィルタ２６は、他席音源２１および自席エラーマイク１４の出力を受け取り、漏れ音伝達関数Ｐ（ｚ）および誤差経路伝達関数Ｃ（ｚ）を推定する処理を行うフィルタである。そして、この補助フィルタ２６の出力は、漏れ音低減フィルタ２２の適応制御に用いられる。
【００２８】
このように、環境変化に応じて変化しやすい誤差経路伝達関数Ｃ（ｚ）を動的に推定することで、漏れ音低減フィルタ２２の動作精度を向上させることができる。また、仮想音源フィルタ２４で聴取者の前方に音像を有する音を生成し、さらに後方音源逆フィルタ２５で、自席スピーカー１３の位置を基準とする音像を乗員の耳位置に近い自席エラーマイク１４の位置へ定位させることで臨場感のある個別音響環境を提供することができる。
【００２９】
次に、本実施形態に係る音響システム１０の概略について説明する。図３は、本実施形態に係る音響システム１０の構成を示す図である。図３に示すように、本実施形態に係る音響システム１０は、スピーカー４ａ〜４ｈからなるスピーカー４と、メインアンプ３１と、音声出力部３２と、ＤＳＰ（Digital Signal Processor）３３と、表示部３４および操作部３５等によって構成されるインターフェース部３６と、制御部３７と、を備えている。
【００３０】
音声出力部３２は、音源３８と、音源３８の再生装置３９とから構成される。音源３８は、例えば、ＣＤ、ＤＶＤ、ＭＤ、ＨＤＤ、ＦＭ・ＡＭチューナ、ＴＶチューナ、携帯型の音声記録媒体等である。音声出力部３２から出力される音声信号は、不図示のＡ／Ｄコンバータによりデジタル信号に変換される。デジタル信号に変換された音声信号は、ＤＳＰ３３によりイコライジング等の処理が行われ、不図示のＤ／Ａコンバータによりアナログ信号に変換される。アナログ信号に変換された音声信号は、メインアンプ３１により増幅されてスピーカー４から音声として出力される。
【００３１】
インターフェース部３６は、表示部３４や操作部３５等によって構成される。表示部３４には、各種情報が表示される。表示部３４は、例えば、液晶表示装置、プラズマディスプレイパネル、ＣＲＴ（Cathode Ray Tube）、エレクトロルミネッセンスパネル等である。また、図示しないが、表示部３４には、画像データを格納するＲＡＭ、およびＲＡＭのデータに基づき表示部３４を駆動する駆動回路が含まれる。ただし、画像データを格納するＲＡＭ、表示部３４を駆動する駆動回路等は、画像処理基板として独立に設けてもよい。その場合、画像処理基板には、制御部３７からの画面情報を構成するデータが入力される。
【００３２】
操作部３５は、聴取者からの操作を受け付ける。例えば、操作部３５は、表示部３４の表示内容を選択・変更するためのボタンやスイッチ等である。さらに、操作部３５は、不図示のリモコンに設けられたボタンやスイッチ等の操作指示を受け取ることができるようにしてもよい。また、操作部３５は、表面に対する接触を検出可能なタッチパネルであってもよく、タッチパネルへの接触操作により、表示部３４の表示内容を選択・変更するようにしてもよい。この場合、インターフェース部３６は、操作部３５への接触操作が行われた場合、接触操作の検出信号を制御部３７に出力する。
【００３３】
インターフェース部３６は、車両１内の各座席から視認することができる位置に設置することが好ましい。ただし、インターフェース部３６をナビゲーションシステムの表示画面として機能させる場合には、車両１の運転に支障がない位置に設置することが好ましい。また、インターフェース部３６を車両１の各座席に設置することも可能である。例えば
、車両１の運転座席には、ナビゲーションシステムの表示画面として機能させることが可能なインターフェース部３６を設置し、その他の座席には、映像用ディスプレイとして機能させることが可能なインターフェース部３６を設置してもよい。
【００３４】
制御部３７は、ＣＰＵ（Central Processing Unit）４０やメモリ４１等によって構成
され、メモリ４１に格納されたプログラムがＣＰＵによって読み込まれることにより各種処理を実行する。また、制御部３７は、音声出力部３２、ＤＳＰ３３、インターフェース部３６等の制御を含む本音響システム１０全体の制御を行う。例えば、制御部３７は、操作部３５を介して表示部３４の表示内容の選択・変更の信号を受け取り、それに応じて表示部３４の表示を制御する。メモリ４１は、ＣＰＵ上で実行されるコンピュータプログラムによって制御される電源バックアップされた揮発性メモリ、フラッシュメモリ等の不揮発性のメモリによって実現される。
【００３５】
聴取者が個別音響環境にて音源３８の再生処理を所望する場合、音源３８の選択および個別音響環境の指定が行われる。具体的には、聴取者による操作部３５への操作を制御部３７が検出し、表示部３４に音源３８の選択画面および音響環境の設定画面が表示されることにより、聴取者は、操作部３５を介して音源３８の選択および個別音響環境の指定を行う。例えば、個別音響環境の指定は、車両１内の座席を指定することにより行う。この場合、車両１内の座席を複数指定することにより、個別音響環境の指定を行ってもよい。選択された音源３８の再生処理は、制御部３７によって音声出力部３２が制御されることにより行われ、制御部３７によってＤＳＰ３３が制御されることにより個別音響環境の提供が行われる。具体的には、選択された音源３８から出力された音声信号がＤＳＰ３３を介してメインアンプ３１に入力され、指定された座席に設けられたスピーカー４から音声が出力される。
【００３６】
一方、聴取者が同一音響環境にて音源３８の再生処理を所望する場合、音源３８の選択および同一音響環境の指定が行われる。具体的には、聴取者による操作部３５への操作を制御部３７が検出し、表示部３４に音源３８の選択画面および音響環境の設定画面が表示されることにより、聴取者は、操作部３５を介して音源３８の選択および同一音響環境の指定を行う。例えば、同一音響環境の指定は、車両１内の全座席を指定することにより行う。選択された音源３８の再生処理は、制御部３７によって音声出力部３２が制御されることにより行われ、制御部３７によってＤＳＰ３３が制御されることにより同一音響環境の提供が行われる。具体的には、選択された音源３８から出力された音声信号がＤＳＰ３３を介してメインアンプ３１に入力され、全座席に設けられたスピーカー４から音声が出力される。
【００３７】
次に、個別音響環境が提供された場合における表示部３４の表示処理および同一音響環境が提供された場合における表示部３４の表示処理について説明する。図４は、本実施形態に係る音響システム１０における表示処理の流れを示すフローチャートである。
【００３８】
本実施形態に係る音響システム１０における表示処理は、音源３８の再生処理が開始された場合に実行される。まず、制御部３７は、音響環境の設定画面で指定された音響環境が個別音響環境であるか否かを判定する（Ｓ０１）。すなわち、音響環境の設定画面において個別音響環境が指定されているか、同一音響環境が指定されているかが判定される。
【００３９】
音響環境の設定画面において個別音響環境が指定されている場合（Ｓ０１の処理でＹＥＳ）、制御部３７は、ＤＳＰ３３を制御することにより個別音響環境の提供を行うとともに、インターフェース部３６を制御することにより表示部３４の画面上に個別音響環境の提供が行われていることを示す標識を表示させる（Ｓ０２）。個別音響環境の提供が行われていることを示す標識は、例えばアイコンであるが、その他の図形や文字、アイコンと
文字の組み合わせ、図形や文字の組み合わせ等であってもよい。
【００４０】
一方、音響環境の設定画面において同一音響環境が指定されている場合（Ｓ０１の処理でＮＯ）、制御部３７は、ＤＳＰ３３を制御することにより同一音響環境の提供を行うとともに、インターフェース部３６を制御することにより表示部３４の画面上に同一音響環境の提供が行われていることを示す標識を表示させる（Ｓ０３）。同一音響環境の提供が行われていることを示す標識は、例えばアイコンであるが、その他の図形や文字、アイコンと文字の組み合わせ、図形や文字の組み合わせ等であってもよい。
【００４１】
図５から図１１を参照して、表示部３４の画面上に表示される個別音響環境の提供が行われていることを示す標識および同一音響環境の提供が行われていることを示す標識の具体例について説明する。
【００４２】
図５は、本実施形態に係る標識の一実施例を示す図である。図５に示す太矢印の右側では、個別音響環境の提供が行われていることを示す標識が、斜線が引かれた略円形の２つのアイコンと、斜線が引かれていない略円形の２つのアイコンとによって表されている。図５に示す太矢印の左側では、同一音響環境の提供が行われていることを示す標識が、斜線が引かれた略円形の４つのアイコンによって表されている。ここで、斜線が引かれた略円形のアイコンと、斜線が引かれていない略円形のアイコンとは、アイコンに付された色が異なることを意味している。
【００４３】
斜線が引かれた略円形の２つのアイコンおよび斜線が引かれていない略円形の２つのアイコンが表示部３４の画面上に表示された場合、異なる種類のアイコンが表示部３４の画面上に表示されるため、聴取者は、個別音響環境の提供が行われていることを認識することが可能となる。したがって、聴取者は、表示部３４の画面上に表示されるアイコンを一見するだけで、車両１内では個別音響環境の提供が行われていることを認識することができる。
【００４４】
一方、斜線が引かれた略円形の４つのアイコンが表示部３４の画面上に表示された場合、同一種類のアイコンが表示部３４の画面上に表示されるため、聴取者は、同一音響環境の提供が行われていることを認識することが可能となる。したがって、聴取者は、表示部３４の画面上に表示されるアイコンを一見するだけで、車両１内では同一音響環境の提供が行われていることを認識することができる。
【００４５】
また、図５の太矢印の右側における４つのアイコンまたは太矢印の左側における４つのアイコンは、車両１内における座席の位置に対応している。そのため、図５の太矢印の右側における４つのアイコンが表示部３４の画面上に表示された場合、聴取者は、車両１内の右側の前後の座席３ａ、３ｃでは、同一音源によって個別音響環境の提供が行われていることを認識することができる。また、聴取者は、車両１内の左側の前後の座席３ｂ、３ｄでは、同一音源によって個別音響環境の提供が行われていることを認識することができる。
【００４６】
図６は、本実施形態に係る標識の一実施例を示す図である。図６に示す太矢印の右側では、個別音響環境の提供が行われていることを示す標識が、矩形の２つのアイコンと、略円形の２つのアイコンとによって表されている。なお、本明細書では、矩形とは、長方形および正方形を含む直角四辺形を指すものとする。図６に示す太矢印の左側では、同一音響環境の提供が行われていることを示す標識が、略円形の４つのアイコンによって表されている。
【００４７】
図６に示すように、個別音響環境の提供が行われていることを示す標識を異なる種類の
複数のアイコンで表し、同一音響環境の提供が行われていることを示す標識を同一種類の複数のアイコンで表すことにより、聴取者は、車両１内で提供されている音響環境の種類を認識することができる。なお、図６に示す矩形のアイコンと略円形のアイコンとにそれぞれ異なる色を付してもよい。これにより、聴取者は、表示部３４の画面上に表示されるアイコンの形状だけでなくアイコンの色によっても、車両１内で提供されている音響環境の種類を認識することができる。また、図５に示すアイコンと同様に、図６に示すアイコンは、車両１内における座席の位置に対応している。
【００４８】
図７は、本実施形態に係る標識の一実施例を示す図である。図７に示す太矢印の右側では、個別音響環境の提供が行われていることを示す標識が、略円形の４つのアイコンによって表されている。図７に示す太矢印の左側では、同一音響環境の提供が行われていることを示す標識が、略円形の１つのアイコンによって表されている。図７の太矢印の左側の略円形のアイコンは、太矢印の右側の略円形のアイコンよりもその形状が大きい。
【００４９】
図７に示すように、個別音響環境の提供が行われていることを示す標識を同一種類の複数のアイコンで表し、同一音響環境の提供が行われていることを示す標識を１つのアイコンで表すことにより、聴取者は、車両１内で提供されている音響環境の種類を認識することができる。なお、図７に示す大きさの異なる略円形のアイコンにそれぞれ異なる色を付してもよい。これにより、聴取者は、表示部３４の画面上に表示されるアイコンの大きさだけでなくアイコンの色によっても、車両１内で提供されている音響環境の種類を認識することができる。
【００５０】
図８は、本実施形態に係る標識の一実施例を示す図である。図８に示す太矢印の右側では、個別音響環境の提供が行われていることを示す標識が、矩形の１つのアイコンによって表されている。図８に示す太矢印の左側では、同一音響環境の提供が行われていることを示す標識が、略円形の１つのアイコンによって表されている。図８に示すように、個別音響環境の提供が行われていることを示す標識と、同一音響環境の提供が行われていることを示す標識とを、形状が異なるアイコンで表すことにより、聴取者は、車両１内で提供されている音響環境の種類を認識することができる。なお、図８に示す形状が異なる各アイコンにそれぞれ異なる色を付してもよい。これにより、聴取者は、表示部３４の画面上に表示されるアイコンの形状だけでなくアイコンの色によっても、車両１内で提供されている音響環境の種類を認識することができる。
【００５１】
図９は、本実施形態に係る標識の一実施例を示す図である。図９に示す太矢印の右側では、個別音響環境の提供が行われていることを示す標識が、現在再生処理が行われている音源３８の種類を示す情報を重ね合わせた略円形のアイコン６０、６１、および６２と、現在再生処理が行われている音源３８の種類を示す情報を図形化したアイコン６３とによって示されている。図９に示す太矢印の左側では、同一音響環境の提供が行われていることを示す標識が、略円形の４つのアイコンによって表されている。図９の太矢印の右側における４つのアイコン６０〜６３または太矢印の左側における４つのアイコンは、車両１内における座席の位置に対応している。
【００５２】
図９に示すアイコン６０は、現在再生処理が行われている音源３８がラジオであることを示しており、アイコン６０に対応する座席３ａでは、ラジオを音源３８として個別音響環境の提供が行われている。また、図９に示すアイコン６１は、現在再生処理が行われている音源３８がＣＤであることを示しており、アイコン６１に対応する座席３ｂでは、ＣＤを音源３８として個別音響環境の提供が行われている。さらに、図９に示すアイコン６２は、現在再生処理が行われている音源３８がＤＶＤであることを示しており、アイコン６２に対応する座席３ｃでは、ＤＶＤを音源３８として個別音響環境の提供が行われている。そして、図９に示すアイコン６３は、現在再生処理が行われている音源３８が携帯型
の音声記録媒体であることを示しており、アイコン６３に対応する座席３ｄでは、携帯型の音声記録媒体を音源３８として個別音響環境の提供が行われている。
【００５３】
図９で示すアイコン６０、６１、６２および６３が表示部３４の画面上に表示された場合、聴取者は、個別音響環境の提供が行われていることを認識するとともに、現在再生処理が行われている音源３８の種類を認識することができる。一方、図９で示す略円形の４つのアイコンが表示部３４の画面上に表示された場合、同一種類のアイコンが表示部３４の画面上に表示されるため、聴取者は、同一音響環境の提供が行われていることを認識することができる。
【００５４】
図１０は、本実施形態に係る標識の一実施例を示す図である。図１０に示す太矢印の右側では、個別音響環境の提供が行われていることを示す標識が、現在再生処理が行われている音源３８の種類を示す情報を重ね合わせた略円形のアイコン６０、６１および６２と、現在再生処理が行われている音源３８の種類を示す情報を図形化したアイコン６３とによって示されている。図１０に示す太矢印の左側では、同一音響環境の提供が行われていることを示す標識が、現在再生処理が行われている音源３８の種類を示す情報を重ね合わせた略円形の１つのアイコン６４によって表されている。図１０に示すアイコン６０、６１、６２および６３は、図９と同様である。図１０に示す略円形の１つのアイコン６４は、現在再生処理が行われている音源３８がＣＤであることを示している。
【００５５】
図１０で示すアイコン６０、６１、６２および６３が表示部３４の画面上に表示された場合、聴取者は、個別音響環境の提供が行われていることを認識するとともに、現在再生処理が行われている音源３８の種類を認識することができる。一方、図１０で示す略円形の１つのアイコン６４が表示部３４の画面上に表示された場合、聴取者は、同一音響環境の提供が行われていることを認識するとともに、現在再生処理が行われている音源３８の種類を認識することができる。
【００５６】
図１１は、本実施形態に係る標識の一実施例を示す図である。図１１に示す太矢印の右側では、個別音響環境の提供が行われていることを示す標識が、現在再生処理が行われている音源３８の種類を示す情報を重ね合わせた略円形のアイコン６０、６１および６２と、現在再生処理が行われている音源３８の種類を示す情報を図形化したアイコン６３とによって示されている。図１１に示す太矢印の左側では、同一音響環境の提供が行われていることを示す標識が、現在再生処理が行われている音源３８の種類を示す情報を重ね合わせた略円形の４つのアイコン６５、６６、６７および６８によって表されている。図１１に示すアイコン６０、６１、６２および６３は、図９と同様である。図１１に示す略円形の４つのアイコン６５、６６、６７および６８は、現在再生処理が行われている音源３８がＣＤであることを示している。また、図５に示すアイコンと同様に、図１１に示すアイコンは、車両１内における座席の位置に対応している。
【００５７】
図１１で示すアイコン６０、６１、６２および６３が表示部３４の画面上に表示された場合、聴取者は、個別音響環境の提供が行われていることを認識するとともに、現在再生処理が行われている音源３８の種類を認識することができる。一方、図１１で示すアイコン６５、６６、６７および６８が表示部３４の画面上に表示された場合、聴取者は、同一音響環境の提供が行われていることを認識するとともに、現在再生処理が行われている音源３８の種類を認識することができる。
【００５８】
制御部３７によりナビゲーション処理が実行される場合、表示部３４の画面上には車両１の現在位置や車両１の周辺の地図等が表示されることになる。この場合、個別音響環境の提供が行われていることを示す標識または同一音響環境の提供が行われていることを示す標識は、表示部３４の画面上の中心以外の位置に表示するようにする。すなわち、表示
部３４の画面上に表示された車両１の現在位置や車両１の周辺の地図等の妨げにならないような位置に表示する。例えば、図１２に示すように、アイコン７０を、表示部３４の画面上の右上隅に表示させるようにすればよい。また、表示部３４の画面上において、車両１の現在位置や車両１の周辺の地図等が表示される領域と、アイコン７０が表示される領域とを区分して表示するようにしてもよい。
【００５９】
ここで、聴取者による車両１内の音響環境の設定確認および設定変更について説明する。例えば、聴取者は、図１２に示すアイコン７０を、操作部３５を介して選択することによって音響環境の設定画面を表示部３４の画面上に表示させる。車両１内で同一音響環境の提供が行われている場合、音響環境の設定画面には、音源情報や音楽情報が表示される。音源情報は、ＣＤ、ＭＤ、ＤＶＤ、ＨＤ、ＡＵＸ（Auxiliary）等の音源３８の種類を
示す情報であり、音楽情報は、音楽のタイトルや再生時間等の情報である。車両１内で個別音響環境の提供が行われている場合、音響環境の設定画面には、各座席に出力されている音声ごとに音源情報や音楽情報が表示される。なお、音響環境の設定画面において、車両１内に出力されている音声の音量や仮想音場やイコライザ等の音響システム１０の基本設定を行うことも可能である。
【００６０】
〈変形例〉
上記説明したように、車両１内で個別音響環境の提供が行われている場合、表示部３４の画面上には、個別音響環境の提供が行われていることを示す標識が表示され、車両１内で同一音響環境の提供が行われている場合、表示部３４の画面上には、同一音響環境の提供が行われていることを示す標識が表示される。本変形例では、以下のように変形してもよい。
【００６１】
例えば、車両１内で個別音響環境の提供が行われている場合にのみ、表示部３４の画面上に、個別音響環境の提供が行われていることを示す標識を表示するようにしてもよい。そして、車両１内で同一音響環境の提供が行われている場合には、表示部３４の画面上に、同一音響環境の提供が行われていることを示す標識を表示しないようにしてもよい。表示部３４の画面上に、個別音響環境の提供が行われていることを示す標識が表示されている場合には、聴取者は、個別音響環境の提供が行われていることを認識することができる。そして、表示部３４の画面上に、個別音響環境の提供が行われていることを示す標識が表示されていない場合には、聴取者は、同一音響環境の提供が行われていることを認識することができる。
【００６２】
また、例えば、車両１内で同一音響環境の提供が行われている場合にのみ、表示部３４の画面上に、同一音響環境の提供が行われていることを示す標識を表示するようにしてもよい。そして、車両１内で個別音響環境の提供が行われている場合には、表示部３４の画面上に、個別音響環境の提供が行われていることを示す標識を表示しないようにしてもよい。表示部３４の画面上に、同一音響環境の提供が行われていることを示す標識が表示されている場合には、聴取者は、同一音響環境の提供が行われていることを認識することができる。そして、表示部３４の画面上に、同一個別音響環境の提供が行われていることを示す標識が表示されていない場合には、聴取者は、個別音響環境の提供が行われていることを認識することができる。
【図面の簡単な説明】
【００６３】
【図１】本実施形態に係る音響システムが搭載される車両の概略図である。
【図２】本実施形態に係る音響システムの漏れ音低減処理の説明図である。
【図３】本実施形態に係る音響システムの構成を示す図である。
【図４】本実施形態に係る音響システムにおける表示処理の流れを示すフローチャートである。
【図５】本実施形態に係る標識の一実施例である。
【図６】本実施形態に係る標識の一実施例である。
【図７】本実施形態に係る標識の一実施例である。
【図８】本実施形態に係る標識の一実施例である。
【図９】本実施形態に係る標識の一実施例である。
【図１０】本実施形態に係る標識の一実施例である。
【図１１】本実施形態に係る標識の一実施例である。
【図１２】本実施形態に係る表示部に表示される画面の例である。
【符号の説明】
【００６４】
１    車両
２    車両空間
３    座席
４    スピーカー
５    エラーマイク
１０  音響システム
１２  他席スピーカー
１３  自席スピーカー
１４  自席エラーマイク
１５  仮想音源
２１  他席音源
２２  漏れ音低減フィルタ
２３  自席音源
２４  仮想音源フィルタ
２５  後方音源逆フィルタ
２６  補助フィルタ
３１  メインアンプ
３２  音声出力部
３３  ＤＳＰ
３４  表示部
３５  操作部
３６  インターフェース部
３７  制御部
３８  音源
３９  再生装置
４０  ＣＰＵ
４１  メモリ
【図１】
2009143498.tif 000003
【図２】
2009143498.tif 000004
【図３】
2009143498.tif 000005
【図４】
2009143498.tif 000006
【図５】
2009143498.tif 000007
【図６】
2009143498.tif 000008
【図７】
2009143498.tif 000009
【図８】
2009143498.tif 000010
【図９】
2009143498.tif 000011
【図１０】
2009143498.tif 000012
【図１１】
2009143498.tif 000013
【図１２】
2009143498.tif 000014